(57)【要約】【課題】  真珠本来の表面光沢や色調を備えるのみならず、健康増進或いは治療・治癒機能をも発揮し得る真珠を提供する。【解決手段】  ゲルマニウムからなる微粒子６が分散されたシリカ薄膜４が、真珠２表面に形成されていることを特徴とするゲルマニウム付着真珠１。【選択図】  図１
2005073938.tif 000002
【特許請求の範囲】
【請求項１】
ゲルマニウム微粒子及びゲルマニウム合金微粒子からなる群より選ばれる少なくとも１種のゲルマニウム含有微粒子が分散されたシリカ薄膜が、真珠表面に形成されていることを特徴とするゲルマニウム付着真珠。
【請求項２】
前記ゲルマニウム含有微粒子の少なくとも一部は、前記シリカ薄膜の表面に露出していることを特徴とする請求項１記載のゲルマニウム付着真珠。
【請求項３】
前記ゲルマニウム含有微粒子は、前記シリカ薄膜１μｍ２当り０．５個以上存在することを特徴とする請求項１又は２記載のゲルマニウム付着真珠。
【請求項４】
ゲルマニウム微粒子及びゲルマニウム合金微粒子からなる群より選ばれる少なくとも１種のゲルマニウム含有微粒子を含有するシリカ前駆体を真珠表面に付着させる付着工程と、
前記真珠表面に付着したシリカ前駆体をシリカに変化させるシリカ形成工程と、を備えることを特徴とするゲルマニウム付着真珠の製造方法。
【請求項５】
前記シリカ前駆体は、ポリシラザンであることを特徴とする請求項４記載の製造方法。
【請求項６】
前記シリカ形成工程において、前記ポリシラザンを加熱することなくシリカに変化させることを特徴とする請求項５記載の製造方法。
【請求項７】
前記シリカ形成工程の後に、波長０．２〜１．０μmのレーザ光を、前記ゲルマニウム含有微粒子が分散されたシリカ薄膜に照射するレーザ照射工程を備えることを特徴とする請求項４〜６のいずれか一項に記載の製造方法。
【請求項８】
前記シリカ形成工程において、波長０．２〜１．０μmのレーザ光を照射しつつ、前記真珠表面に付着したシリカ前駆体をシリカに変化させることを特徴とする請求項４〜６のいずれか一項に記載の製造方法。
【請求項９】
請求項４〜８のいずれか一項に記載の製造方法によって得ることのできるゲルマニウム付着真珠。
【請求項１０】
少なくとも１つの真珠を備えた宝飾品であって、
前記真珠の少なくとも１つは、請求項１〜３、９のいずれか一項に記載のゲルマニウム付着真珠であることを特徴とする宝飾品。
【請求項１１】
複数の真珠を環状に連結させたネックレスであって、
前記真珠の少なくとも１つは、請求項１〜３、９のいずれか一項に記載のゲルマニウム付着真珠であることを特徴とするネックレス。
【請求項１２】
身体に装用する装身具に脱着可能に取り付けられる指圧器具であって、
前記装身具に脱着可能に取り付けるための取付部材と、
前記取付部材に固定された、請求項１〜３、９のいずれか一項に記載のゲルマニウム付着真珠と、を備えることを特徴とする指圧器具。
【請求項１３】
前記ゲルマニウム付着真珠は、球状又は半球状のゲルマニウム付着真珠であることを特徴とする請求項１２記載の指圧器具。
【請求項１４】
前記装身具は、眼鏡又は腕輪であることを特徴とする請求項１２又は１３記載の指圧器具
【発明の詳細な説明】
【技術分野】
【０００１】
本発明は、ゲルマニウム付着真珠及びその製造方法、並びに宝飾品、ネックレス及び指圧器具に関する。
【背景技術】
【０００２】
表面に薄膜を形成させた真珠としては、以下の特許文献１に記載されたものが知られている。この文献において真珠表面に形成された薄膜は、フッ化炭素素を含む化学吸着単分子膜であり、これにより装飾品本来の光沢及び色調を損なうことがなく、防汚性が奏されるとされている。
【特許文献１】特許第２５００１５１号
【発明の開示】
【発明が解決しようとする課題】
【０００３】
一方、肩凝り防止に有効とされる磁気ネックレスが近年製品化されているが、真珠等の天然物に磁性を付与することは困難であり、また、真珠を用いたネックレス等のように、素材表面の光沢や色調が重要視される宝飾品においては、これらの特性を損なうことなく、真珠自体に健康増進機能を付与することは従来、事実上不可能であった。
【０００４】
そこで、本発明の目的は、真珠本来の表面光沢や色調を備えるのみならず、健康増進或いは治療・治癒機能をも発揮し得る真珠、並びにこの真珠を用いたネックレス等の宝飾品及び指圧器具を提供することにある。本発明の目的はまた、この真珠の製造方法を提供することにある。
【課題を解決するための手段】
【０００５】
上記目的を達成するために、本発明は、ゲルマニウム微粒子及びゲルマニウム合金微粒子からなる群より選ばれる少なくとも１種のゲルマニウム含有微粒子が分散されたシリカ薄膜が、真珠表面に形成されていることを特徴とするゲルマニウム付着真珠を提供する。
【０００６】
上記ゲルマニウム付着真珠は、ゲルマニウムやゲルマニウム合金の微粒子を表面に有するものであるために、装身具や宝飾品に適用することにより、遠赤外線の発生等に基づいて、健康増進或いは治療・治癒機能（皮膚温度の上昇、肩凝り防止等）を奏する。また、シリカ薄膜に分散されたゲルマニウムやゲルマニウム合金は微小な粒子であるために、真珠表面の色調を損なうことがない。更に、シリカが薄膜として真珠表面に付着しているために、この薄膜を通して真珠が本来有する表面光沢や色調が現れる。そして、真珠は球面を有するため、ゲルマニウム付着真珠を装身具や宝飾品として適用する場合に身体を加圧するように装着すると、指圧効果が得られる。
【０００７】
なお、遠赤外線の発生のメカニズムについては、本発明者等は以下の仮説を想定しているが、当該仮説の妥当性により本発明の特徴及び範囲が影響されるものではない。
【０００８】
小宮山進はIII族原子の不純物を含むＰ型ゲルマニウムを用いて半導体レーザを試作し、液体ヘリウムで冷却しながら波長８０〜１２０ミクロンの遠赤外線レーザ発振を確認している（「固体物理」第３１巻第４号（１９９６年））。小宮山が推測する遠赤外線の放射メカニズムを概説すると、Ｐ型ゲルマニウム（間接遷移型半導体）が極低温の状態では多量のホールはガンマ点（バンドの頂上）に縮退しているが、直交する電場と磁場を印加すると、いわゆるサイクロトロン運動を始める。このとき、重いホールは軽いホールに比べると８倍程度も有効質量が大きいため、短時間で光学フォノンに等しい運動エネルギーを持つようになる。すると、直ちに光学フォノンを放出して再び重いホール帯に戻るが、一部は軽いホール帯に散乱される。このようにして軽いホールの蓄積が起り、重いホールに対して反転分布が生じる。この軽いホールは電場により運動エネルギーを得て、これが所定のエネルギーレベルに達すると重いホール帯に直接光学遷移し、波長１００ミクロン帯の遠赤外線を放射することとなる。
【０００９】
シリカ薄膜に存在するゲルマニウムの粒子が極低温状態では、多量のホールはガンマ点（バンドの頂上）に縮退しているが、温度が上昇すると熱エネルギーを得てエネルギー分布が広がり、揺らぎも生じる。つまり、ホールのフェルミレベルが価電子帯の近くにあり、室温では２５ｍｅＶのエネルギーがあるため、波長１００ミクロン帯の遠赤外線に相当する２．５ｍｅＶの準位には容易に励起される。このようにして重いホールは、そのバンドから軽いホールバンドに熱的に容易に励起され、そのホールは遠赤外線を放出して、元の重いホールバンドに戻る。つまり、本発明のゲルマニウム付着真珠を室温付近で使用することにより、波長が１００ミクロン帯の遠赤外線を放射することとなる。
【００１０】
上記ゲルマニウム付着真珠においては、ゲルマニウム含有微粒子の少なくとも一部が、シリカ薄膜の表面に露出しているとよく、シリカ薄膜１μｍ２当り０．５個以上存在することが好ましい。
【００１１】
上記微粒子をシリカ薄膜から露出させることにより、露出させていない場合に比較して皮膚に到達する途中で遠赤外線が吸収され難くなる。また、ゲルマニウム含有微粒子を、シリカ薄膜１μｍ２（１μｍ×１μｍ）当り０．５個以上存在させることにより、発する遠赤外線を増強させることができる。したがって、健康増進或いは治療・治癒機能が優れるようになる。
【００１２】
本発明のゲルマニウム付着真珠は、ゲルマニウム微粒子及びゲルマニウム合金微粒子からなる群より選ばれる少なくとも１種のゲルマニウム含有微粒子を含有するシリカ前駆体を真珠表面に付着させる付着工程と、真珠表面に付着したシリカ前駆体をシリカに変化させるシリカ形成工程と、を備える製造方法により製造できる。
【００１３】
この製造方法ではシリカ前駆体を用いて付着を行うことから、真珠表面に形成されるシリカが極薄になるような塗布が可能である。また、シリカ前駆体としてポリシラザンを用いると、真珠が変質するような高温におけるシリカ薄膜の形成が不必要になり、室温〜１００℃程度の加熱でシリカの形成ができるため、薄膜を通して現れる表面光沢や色調を真珠本来のレベルに維持することが容易になる。この製造方法においては、シリカ形成工程でポリシラザンを加熱することなくシリカに変化させることが特に好ましい。室温でシリカに変化させることで、真珠の表面光沢や色調が損なわれることがない。
【００１４】
シリカ形成工程の後には、波長０．２〜１．０μmのレーザ光を、ゲルマニウム含有微粒子が分散されたシリカ薄膜に照射するレーザ照射工程を実施してもよく、或いは、シリカ形成工程において、波長０．２〜１．０μmのレーザ光を照射しつつ、真珠表面に付着したシリカ前駆体をシリカに変化させてもよい。
【００１５】
上記波長のレーザ光の照射により、シリカやシリカ前駆体を溶融又は化学変化させることなく、ゲルマニウム又はゲルマニウム合金を溶融させることができる。溶融後、室温に戻すことでゲルマニウム又はゲルマニウム合金は固化するが、これらを含むシリカ薄膜においては、ゲルマニウム含有微粒子とシリカとの密着性が向上し、また、当該微粒子やシリカの真珠表面に対する密着性も向上する。したがって、上記波長のレーザ光の照射により、表面光沢や色調、健康増進機能を損なうことなく、ゲルマニウム付着真珠の耐久性を向上させることができる。
【００１６】
上述したゲルマニウム付着真珠を用いて、宝飾品、ネックレス及び指圧器具が提供される。すなわち、（１）少なくとも１つの真珠を備えた宝飾品であって、当該真珠の少なくとも１つが上記本発明のゲルマニウム付着真珠である宝飾品、（２）複数の真珠を環状に連結させたネックレスであって、当該真珠の少なくとも１つが上記本発明のゲルマニウム付着真珠であるネックレス、（３）身体に装用する装身具に脱着可能に取り付けられる指圧器具であって、当該装身具に脱着可能に取り付けるための取付部材と、当該取付部材に固定された、上記本発明のゲルマニウム付着真珠と、を備える指圧器具、が提供される。
【００１７】
（１）の宝飾品及び（２）のネックレスは、装着することにより健康増進或いは治療・治癒機能を奏する。また、（３）の指圧器具は装身具に取り付けることができるため、取り付けた装身具を指圧器具が皮膚に接触するように装着することで接触点において指圧効果が発揮され、健康増進或いは治療・治癒機能も同時に奏される。
【００１８】
取付部材に固定されるゲルマニウム付着真珠は、球状又は半球状のゲルマニウム付着真珠とすることができ、装身具としては、眼鏡又は腕輪（ブレスレット）が挙げられる。
【発明の効果】
【００１９】
本発明により、真珠本来の表面光沢や色調を備えるのみならず、健康増進機能をも発揮する真珠、並びにこの真珠を用いたネックレス等の宝飾品及び指圧器具が提供される。また、この真珠の製造方法が提供される。
【発明を実施するための最良の形態】
【００２０】
以下、本発明の実施形態について図面を参照して詳細に説明する。なお、同一の要素には同一符号を付し、重複する説明を省略する。また、図面の寸法比率は説明のものと必ずしも一致していない。
【００２１】
図１は第１実施形態に係るゲルマニウム付着真珠の模式断面図であり、図２は第２実施形態に係るゲルマニウム付着真珠の模式断面図である。図１に示すゲルマニウム付着真珠１は、球状の真珠２と、当該真珠２上に形成されたシリカ薄膜４とを備えており、シリカ薄膜４中には複数のゲルマニウム微粒子６が分散されている。一方、図２に示すゲルマニウム付着真珠１は、真珠が半球状の真珠２であり、真珠２の球面のみにシリカ薄膜４が形成されている他は、図１に示すゲルマニウム付着真珠と同様の構成を有している。なお、上記いずれの実施形態においても、ゲルマニウム微粒子６の少なくとも一部をシリカ薄膜４表面に露出させることが好適である。
【００２２】
ここで、ゲルマニウム微粒子６の平均粒径は、５０μｍ以下がよく、その下限は０．０１μｍが好ましく、０．１μｍであることがより好ましい。一方、上限は３０μｍがより好ましく、１０μｍが更に好ましく、５μｍが特に好ましい。特に好適な平均粒径は０．１〜５μｍ（更には０．１〜０．５μｍ）である。ゲルマニウム微粒子６はシリカ薄膜４中で二次粒子を形成する場合があるが、上記平均粒径は一次粒子の平均粒径を意味する。なお、ゲルマニウム微粒子６は、二次粒子を形成せずに一次粒子として分散されていることが好ましい。
【００２３】
ゲルマニウム微粒子６は、ゲルマニウムを１，０００Ｋｇｆ／ｃｍ２（９．８×１０４Ｐａ）以上の加圧下で粉砕して得られたものが好適である。このような高圧でゲルマニウムを粉砕することにより対称性が崩れ、ゲルマニウムのエネルギーギャップは本来のエネルギーギャップよりも小さくなると考えられ、室温（３００Ｋ）程度の熱により、容易に励起するようになる。その結果、ゲルマニウム微粒子６は容易に遠赤外線を発するようになり、健康増進或いは治療・治癒機能が増強される。
【００２４】
第１及び第２実施形態において、ゲルマニウム微粒子６の一部又は全部をゲルマニウム合金微粒子で置換してもよい。ゲルマニウム合金微粒子としては、ゲルマニウム−インジウム合金微粒子、ゲルマニウム−ガリウム合金微粒子、ゲルマニウム−シリコン微粒子が挙げられる。これらの微粒子の好適な平均粒径は、上述のゲルマニウム微粒子のものと同様である。
【００２５】
インジウムやガリウムはIII型元素であるためゲルマニウムのような半導体に添加されるとアクセプターとなり、Ｐ型をもたらす。一般にゲルマニウムの遠赤外効果は、Ｎ型又は真正の半導体のときに比べて、Ｐ型のときに著しく発揮されるので、ゲルマニウム合金微粒子としてゲルマニウム−インジウム合金微粒子又はゲルマニウム−ガリウム合金微粒子を用いることで、遠赤外線をより顕著に発生させることができる。この効果を充分なものとするために、ゲルマニウム１００質量部に対するインジウム又はガリウムの質量は２０質量部未満（更には１３質量部未満）とすることが好ましい。また、インジウム又はガリウムの質量の下限は０．１質量部（更には１質量部）が好ましい。
【００２６】
シリコンはゲルマニウムと同族元素であり、結晶構造が同一で互いに類似した性質を有する。このため、ゲルマニウムとシリコンとを加熱溶融させてゲルマニウム−シリコン合金を形成すると、固溶したシリコン原子がゲルマニウムの結晶構造を変えることなく格子点を占有する。これにより、置換型の連続固溶体が形成されると考えられ、粉末化することによりＰ型の微粒子が形成される。したがって、ゲルマニウム−シリコン合金も遠赤外線の放射が可能となり健康増進或いは治療・治癒機能が奏される。
【００２７】
シリカ薄膜４の厚さは、充分な膜強度を得る観点から、ゲルマニウム微粒子６の平均粒径以上の膜厚を有していることが好ましい。好適な膜厚は、０．１〜５μｍ（更には０．１〜１μｍ）である。
【００２８】
ゲルマニウム微粒子６については、シリカ薄膜４の１μｍ２当り０．５個以上存在することが好ましく、１個以上存在することがより好ましい。ゲルマニウム微粒子６は、シリカ薄膜４の１μｍ２当り１〜２０個、更には１〜１０個存在することが好ましい。１μｍ２当りの個数が０．５個を下回ると、発される遠赤外線の量が減少して健康増進或いは治療・治癒機能が充分現れない場合がある。一方、１μｍ２当りの個数が多すぎる（例えば、２０個以上）と、真珠の光沢や色調が損なわれる場合がある。
【００２９】
シリカ薄膜４が形成される真珠２の形状は、球状、半球状の他、ドロップ形、米粒形、扁平形、スティック形のいずれであってもよく、或いは、これらを任意の形状に加工したものでもよい。真珠２の色調としては、ピンク系、ホワイト系、イエロー系、ブルー系、ゴールド系、ブラック系が挙げられるが、いずれ場合もシリカ薄膜４を通してその色調を発現させることができる。真珠２はまた人工真珠でも天然真珠でもよく、天然の場合は、例えば、アコヤガイ、シロチョウガイ、クロチョウガイ、イケチョウガイ、マベ、アワビ等から産出される真珠が適用できる。
【００３０】
ゲルマニウム付着真珠６は、上述した付着工程とシリカ形成工程とを含む製造方法により製造可能である。付着工程においては、好ましくは、ゲルマニウム微粒子６とシリカ前駆体とを含むコーティング剤（溶剤を含んでいてもよい。）を、ディッピングやスプレー塗布等の公知の塗布方法により真珠２に塗布する。なお、真珠２への上記コーティング剤の塗布は、真珠２を後述の宝飾品や指圧器具に成形した後に行ってもよい。コーティング剤は、好ましくは、質量基準で０．０１〜７０質量％（更には０．１〜５０質量％）のゲルマニウム微粒子６を含む。なお、シリカ前駆体とは、物理的、化学的変化によりシリカを生じる化合物をいう。
【００３１】
シリカ前駆体としては、テトラメトキシシランやテトラエトキシシラン等のアルコキシシランやポリシラザンが挙げられるが、低温（室温等）でシリカ形成が可能であることからポリシラザンが好ましい。また、シリカ前駆体としてポリシラザンを用いる場合には、低温硬化用の触媒を併用することが好ましい。
【００３２】
コーティング剤を塗布した後には、必要により溶剤等の揮発成分を除去して、シリカ前駆体の反応条件に合わせた条件に塗布物を晒すことによりシリカ形成工程を実施する。例えば、シリカ前駆体がアルコキシシランである場合は真珠が変質しない程度の加熱により加水分解及び縮合を効果的に進行させることができ、ポリシラザンの場合は、触媒の存在下で水蒸気を使用することができる。なお、ポリシラザンを用いた場合は室温でもシリカを形成させることができるため、本発明では特に有効である。
【００３３】
上述した本発明のゲルマニウム付着真珠は宝飾品に適用可能である。すなわち、少なくとも１つの真珠を備えた宝飾品であって、当該真珠の少なくとも１つは本発明のゲルマニウム付着真珠である宝飾品が提供される。宝飾品としては、ゲルマニウム付着真珠を備えた、ブローチ、イヤリング、ピアス、腕輪（ブレスレット）、アンクレット、指輪、時計等が挙げられる。宝飾品にはまた、複数の真珠を環状に連結させたネックレスであって、上記真珠の少なくとも１つが本発明のゲルマニウム付着真珠であるネックレスも含まれる。
【００３４】
図３は実施形態に係るネックレスの斜視図である。図３に示すネックレス１０は、貫通孔が形成されている複数のゲルマニウム付着真珠１と、当該貫通孔に挿通させてゲルマニウム付着真珠１を環状に連結させる糸状体１２とから構成されている。図３に示すネックレス１０はゲルマニウム付着真珠１のみからなるものであるが、連結させる真珠の一部のみ（特に肩部分に接触する真珠）をゲルマニウム付着真珠１としてもよい。また、真珠及びゲルマニウム付着真珠１以外のものを連結させてもよい。
【００３５】
上述した本発明のゲルマニウム付着真珠は指圧器具にも適用可能である。すなわち、身体に装用する装身具に脱着可能に取り付けられる指圧器具であって、上記装身具に脱着可能に取り付けるための取付部材と、当該取付部材に固定された本発明のゲルマニウム付着真珠と、を備える指圧器具が提供される。
【００３６】
図４、図５及び図６は、それぞれ第１、第２及び第３実施形態に係る指圧器具２０の斜視図である。図４に示す指圧器具２０は、装身具に脱着可能に取り付けるための取付部材２２と、取付部材２２に固定されたゲルマニウム付着真珠１とを備えており、取付部材２２は、一対の挟持部材３０と、挟持部材３０の一端が弾発力で互いに押し合うようにその他端を連結する連結部材３２と、から構成され、ゲルマニウム付着真珠１は固定具３４により連結部材３２に固定されている。
【００３７】
図５に示す指圧器具２０は、装身具に脱着可能に取り付けるための取付部材２２と、取付部材２２に固定されたゲルマニウム付着真珠１とを備えており、取付部材２２は、一対の挟持部材３０と、挟持部材３０の一端が弾発力で互いに押し合うようにその他端を連結する連結部材３２と、から構成され、挟持部材３０の上記一端は一方が他方と重なり合うように内側に折り曲げられている。また、ゲルマニウム付着真珠１は固定具３４により連結部材３２に固定されている。
【００３８】
図６に示す指圧器具２０は、装身具に脱着可能に取り付けるための取付部材２２と、取付部材２２に固定されたゲルマニウム付着真珠１とを備えており、取付部材２２は、一対の挟持部材３０と、挟持部材３０の一端が弾発力で互いに押し合うようにその他端を連結する連結部材３２と、挟持部材３０間に挿入される挿入部材３６と、から構成され、挟持部材３０の一端は共に内側に折り曲げられ、挿入部材３６はこの折り曲げ部において挟持部材３０の弾発力で押圧保持されるようになっている。また、ゲルマニウム付着真珠１は固定具３４により連結部材３２に固定されている。
【００３９】
第１〜第３実施形態に係る指圧器具２０は、ゲルマニウム付着真珠１部分を皮膚に押し当てることで、それ自体指圧器具として用いることができるが、装身具に取り付けて、ゲルマニウム付着真珠１部分を皮膚に接触させるか、皮膚の至近距離となるような位置に配置して用いることが好ましい。
【００４０】
装身具に取り付ける場合、一対の挟持部材３０を手や治具により押し広げて装身具の所定の部位に固定させる。指圧器具２０を取り付ける装身具は、皮膚と接触部位を有しているものがよく、代表的なものとして眼鏡及び腕輪（ブレスレット）が挙げられる。
【００４１】
図７は指圧器具を取り付けた眼鏡（指圧器具付き眼鏡）の斜視図である。図７に示す指圧器具付き眼鏡４０においては、眼鏡本体４１のブリッジ部４２に指圧器具２０が取り付けられており、つる部４４の前枠４６付近と耳掛け部４８付近にもそれぞれ指圧器具２０が取り付けられている。
【００４２】
つる部４４の耳掛け部４８付近に取り付けた指圧器具２０は指圧器具付き眼鏡４０の装着により皮膚に接触する。したがって装着を続けることで指圧効果が奏される。また、遠赤外線の発生等に基づく健康増進或いは治療・治癒機能も奏される。つる部４４の前枠４６付近及びブリッジ部４２に取り付けられた指圧器具２０は、ゲルマニウム付着真珠１の配置の状態により皮膚に接触させることもできるし、皮膚には直接接触しないが皮膚の至近距離に配置させることもできる。前者の場合は、指圧効果及び健康増進或いは治療・治癒効果を得ることができ、後者の場合は、健康増進或いは治療・治癒効果が得られる。
【００４３】
図８は指圧器具を取り付けた腕輪（指圧器具付き腕輪）の斜視図である。図８に示す指圧器具付き腕輪５０は、腕輪本体５２と、腕輪本体５２の内面にゲルマニウム付着真珠１が配置されるように指圧器具２０が取り付けられている。このような指圧器具付き腕輪５０を装着することにより、皮膚とゲルマニウム付着真珠１とが接触して指圧効果が奏され、また、遠赤外線の発生等に基づく健康増進或いは治療・治癒機能も奏される。
【００４４】
第１〜第３実施形態の指圧器具２０はゲルマニウム付着真珠１をそれぞれ１つ備えるものであるが、ゲルマニウム付着真珠１の数は１に限られず複数であってもよい。また、第３実施形態における挿入部材３６にゲルマニウム付着真珠１を固定させるようにしてもよい。第１〜第３実施形態の指圧器具２０における取付部材２２は、金属板をそれぞれの形状に折り曲げて製造するか、弾力性を有した樹脂をそれぞれの形状に一体成形することにより製造することができる。金属板としては、例えばステンレス板、金板、金めっき鋼板が用いられる。
【実施例】
【００４５】
以下、本発明の好適な実施例についてさらに詳細に説明するが、本発明はこれらの実施例に限定されるものではない。
【００４６】
（実施例１）
平均粒径が３０μｍ以下になるように１，０００Ｋｇｆ／ｃｍ２の加圧下で微粉末化して得られたゲルマニウム微粒子を、ポリシラザンに添加してコーティング剤を作製した。ゲルマニウム微粒子の添加量は、生成するシリカ薄膜とゲルマニウム微粒子の合計質量基準で、２〜３質量％となるようにした。このコーティング剤を真珠が複数連結したネックレスの真珠表面に塗布して、１００℃にて２時間加熱することによりポリシラザンをシリカに変化させた。図９は、上述のようにしてゲルマニウム微粒子が分散されたシリカ薄膜が形成された真珠表面のレーザ顕微鏡写真である。図９中、破線で囲まれた曲線は、ゲルマニウム微粒子が分散されたシリカ薄膜の表面の凹凸を示すものであり、直径３０μｍ以下のゲルマニウム微粒子が観察される。観察されたゲルマニウム微粒子は、そのサイズから半導体としての性質を示すのに充分な数のゲルマニウム原子を有しており、室温付近で遠赤外線を発して、健康増進或いは治療・治癒機能を奏する。また、得られたネックレスを目視で観察したところ、真珠本来の表面光沢や色調が現れていた。
【図面の簡単な説明】
【００４７】
【図１】第１実施形態に係るゲルマニウム付着真珠の模式断面図である。
【図２】第２実施形態に係るゲルマニウム付着真珠の模式断面図である。
【図３】実施形態に係るネックレスの斜視図である。
【図４】第１実施形態に係る指圧器具の斜視図である。
【図５】第２実施形態に係る指圧器具の斜視図である。
【図６】第３実施形態に係る指圧器具の斜視図である。
【図７】指圧器具を取り付けた眼鏡の斜視図である。
【図８】指圧器具を取り付けた腕輪の斜視図である。
【図９】ゲルマニウム微粒子が分散されたシリカ薄膜が形成された真珠表面のレーザ顕微鏡写真である。
【符号の説明】
【００４８】
１・・・ゲルマニウム付着真珠、２・・・真珠、４・・・シリカ薄膜、６・・・ゲルマニウム微粒子、１０・・・ネックレス、１２・・・糸状体、２０・・・指圧器具、２２・・・取付部材、３０・・・挟持部材、３２・・・連結部材、３４・・・固定具、３６・・・挿入部材、４０・・・指圧器具付き眼鏡、４１・・・眼鏡本体、４２・・・ブリッジ部、４４・・・つる部、４６・・・前枠、４８・・・耳掛け部、５０・・・指圧器具付き腕輪、５２・・・腕輪本体。
【図１】
2005073938.tif 000003
【図２】
2005073938.tif 000004
【図３】
2005073938.tif 000005
【図４】
2005073938.tif 000006
【図５】
2005073938.tif 000007
【図６】
2005073938.tif 000008
【図７】
2005073938.tif 000009
【図８】
2005073938.tif 000010
【図９】
2005073938.tif 000011